(57)【要約】    【課題】  広画角で、防振時にも偏心収差の発生が少なく、また高速なフォーカシングが容易で、しかもフォーカシングに際しての収差変動が少ないズームレンズを得ること。    【解決手段】  物体側より像側へ順に、負の屈折力の第１レンズ群、正の屈折力の第２レンズ群、負の屈折力の第３レンズ群、全体として正の屈折力の複数のレンズ群を含む後群を有し、ズーミングに際して４つ以上のレンズ群が移動するズームレンズであって、第３レンズ群は光軸に対して垂直方向の成分を持つ方向に移動して結像位置を光軸に対して垂直方向に移動させる防振群を有し、後群はフォーカス群を有し、第３レンズ群の防振群の焦点距離ｆｉｓ、望遠端における後群の焦点距離ｆＲを各々適切に設定すること。なる条件式を満足すること。【選択図】    図１
2014052413.tif 000002
【特許請求の範囲】
【請求項１】
物体側より像側へ順に、負の屈折力の第１レンズ群、正の屈折力の第２レンズ群、負の屈折力の第３レンズ群、全体として正の屈折力の複数のレンズ群を含む後群を有し、ズーミングに際して４つ以上のレンズ群が移動するズームレンズであって、前記第３レンズ群は光軸に対して垂直方向の成分を持つ方向に移動して結像位置を光軸に対して垂直方向に移動させる防振群を有し、
前記後群はフォーカス群を有し、前記第３レンズ群の防振群の焦点距離をｆｉｓ、望遠端における前記後群の焦点距離をｆＲとするとき、
０．８＜｜ｆＲ／ｆｉｓ｜＜１．３
なる条件式を満足することを特徴とするズームレンズ。
【請求項２】
前記後群が有するフォーカス群の焦点距離をｆｒ、広角端における全系の焦点距離をｆｗとするとき、
１．８＜｜ｆｒ／ｆｗ｜＜３．０
なる条件式を満足することを特徴とする請求項１のズームレンズ。
【請求項３】
前記フォーカス群よりも物体側に、フォーカシングに際して光軸方向に移動する第２のフォーカス群を有することを特徴とする請求項１又は２のズームレンズ。
【請求項４】
前記防振群は、正の屈折力のレンズと負の屈折力のレンズを１枚ずつ含むことを特徴とする請求項１乃至３のいずれか１項のズームレンズ。
【請求項５】
前記後群は、物体側より像側へ順に、正の屈折力の第４レンズ群、負の屈折力の第５レンズ群、正の屈折力の第６レンズ群で構成され、フォーカシングに際して前記第５レンズ群は移動することを特徴とする請求項１乃至４のいずれか１項のズームレンズ。
【請求項６】
前記第３レンズ群は少なくとも１つの非球面を含むことを特徴とする請求項１乃至５のいずれか１項のズームレンズ。
【請求項７】
前記後群は、物体側より像側へ順に、正の屈折力の第４レンズ群、負の屈折力の第５レンズ群、正の屈折力の第６レンズ群で構成され、広角端から望遠端へのズーミングに際して、前記第１レンズ群は像側へ移動し、前記第２レンズ群と前記第４レンズ群と前記第５レンズ群は物体側へ移動することを特徴とする請求項１乃至６のいずれか１項のズームレンズ。
【請求項８】
前記後群は、物体側より像側へ順に、正の屈折力の第４レンズ群、負の屈折力の第５レンズ群、正の屈折力の第６レンズ群で構成され、広角端から望遠端へのズーミングに際して、前記第１レンズ群は像側へ移動し、前記第２レンズ群と前記第４レンズ群と前記第５レンズ群は物体側へ移動し、前記第３レンズ群は物体側へ凸状の軌跡で移動することを特徴とする請求項１乃至６のいずれか１項のズームレンズ。
【請求項９】
請求項１乃至８のいずれか１項に記載のズームレンズと、該ズームレンズによって形成される像を受光する光電変換素子を有することを特徴とする撮像装置。
【発明の詳細な説明】
【技術分野】
【０００１】
本発明は、ズームレンズに関し、デジタルカメラ、ビデオカメラ、ＴＶカメラ、監視用カメラ、銀塩フィルム用カメラ等の撮像装置に好適なものである。
【背景技術】
【０００２】
ビデオカメラ、デジタルスチルカメラ等の撮像装置（カメラ）に用いる撮像光学系には、広画角で全ズーム範囲にわたり高い光学性能を有したズームレンズであることが求められている。またフォーカシングが高速に行えること、そしてより高精細な画像を得るために撮影時の手ぶれ等の振動より生ずる画像ぶれによる画像の劣化を抑制する機能、所謂防振機能を有すること等が求められている。
【０００３】
従来、広画角化が容易なズームレンズとして、物体側に負の屈折力のレンズ群が位置するネガティブリード型のズームレンズが知られている。またフォーカシングを高速に行うため、最も物体側のレンズ群より像側の小型・軽量のレンズ群でフォーカシングを行うインナーフォーカス方式を用いたズームレンズが知られている。ネガティブリード型で、インナーフォーカス方式を用い、防振機能を備えた広画角のズームレンズが知られている（特許文献１，２）。
【０００４】
特許文献１では物体側から像側へ順に、負、正、負、正、負、正の屈折力の第１〜第６レンズ群からなり、各レンズ群間隔を変化させてズーミングを行う６群ズームレンズを開示している。そして特許文献１では第５レンズ群で防振を行い、第１レンズ群又は第２レンズ群の一部のレンズ群でフォーカシングを行っている。
【０００５】
特許文献２では物体側から像側へ順に、負、正、負、正の屈折力のレンズ群からなり、各レンズ群間隔を変化させてズーミングを行う４群ズームレンズを開示している。そして特許文献２では第３レンズ群の一部のレンズ群で防振を行い、第２レンズ群の一部のレンズ群でフォーカシングを行っている。偏心の存在する光学系の収差に関しては非特許文献１に開示されている。
【先行技術文献】
【特許文献】
【０００６】
【特許文献１】特開２００４−０６１６７９号公報
【特許文献２】特開平１０−０３９２１０号公報
【非特許文献】
【０００７】
【非特許文献１】松居吉哉著  偏芯の存在する光学系の3次の収差論  日本オプトメカトロニクス協会 1989
【発明の概要】
【発明が解決しようとする課題】
【０００８】
負の屈折力のレンズ群が先行するネガティブリード型のズームレンズは、広画角化が比較的容易であるという特徴がある。また前述した４群ズームレンズは望遠端のズーム位置で第１レンズ群と第２レンズ群が全体として正の屈折力のレンズグループを構成し、第３レンズ群と第４レンズ群が全体として負の屈折力のレンズグループを構成している。そして光学系全体として所謂テレフォートタイプを構成し、望遠端の焦点距離を長くしやすいといった特徴がある。
【０００９】
一般に、ネガティブリード型のズームレンズは開口絞りに対し、レンズ構成が非対称となるため、諸収差の補正が難しい。例えば防振時に偏心収差の発生が多く、またフォーカシングの際の収差変動が多くなり、高い光学性能を得ることが大変難しい。
【００１０】
例えばネガティブリード型のズームレンズにおいて、高速なフォーカシングを行うため、第１レンズ群よりも像側の小型・軽量のレンズ群でフォーカシングを行うインナーフォーカス式ではフォーカシングの際の収差変動が増大する傾向がある。ネガティブリード型のズームレンズにおいて広画角化を図りつつ、防振時の偏心収差の発生が少なく、またインナーフォーカス式を用いて高速なフォーカシングを行うには、各レンズ群の屈折力（パワー）やレンズ構成等を適切に設定することが重要になってくる。
【００１１】
例えば防振用レンズ群やフォーカス群を複数のレンズ群から適切に設定し、これらのレンズ群の屈折力等を適切に設定しないと広画角で防振時及びフォーカシング時に高い光学性能を得ることが困難になってくる。
【００１２】
本発明は広画角で、防振時にも偏心収差の発生が少なく、また高速なフォーカシングが容易で、しかもフォーカシングに際しての収差変動が少ないズームレンズの提供を目的とする。
【課題を解決するための手段】
【００１３】
本発明のズームレンズは、物体側より像側へ順に、負の屈折力の第１レンズ群、正の屈折力の第２レンズ群、負の屈折力の第３レンズ群、全体として正の屈折力の複数のレンズ群を含む後群を有し、ズーミングに際して４つ以上のレンズ群が移動するズームレンズであって、前記第３レンズ群は光軸に対して垂直方向の成分を持つ方向に移動して結像位置を光軸に対して垂直方向に移動させる防振群を有し、前記後群はフォーカス群を有し、前記第３レンズ群の防振群の焦点距離をｆｉｓ、望遠端における前記後群の焦点距離をｆＲとするとき、
０．８＜｜ｆＲ／ｆｉｓ｜＜１．３
なる条件式を満足することを特徴としている。
【発明の効果】
【００１４】
本発明によれば、広画角で、防振時にも偏心収差の発生が少なく、また高速なフォーカシングが容易で、しかもフォーカシングに際しての収差変動が少ないズームレンズが得られる。
【図面の簡単な説明】
【００１５】
【図１】本発明の実施例１のレンズ断面図
【図２】本発明の実施例１の基準状態における収差図
【図３】本発明の実施例１において光軸が０．３°傾いた状態における防振状態での収差図
【図４】本発明の実施例２のレンズ断面図
【図５】本発明の実施例２の基準状態における収差図
【図６】本発明の実施例２において光軸が０．３°傾いた状態における防振状態での収差図
【図７】本発明の実施例３のレンズ断面図
【図８】本発明の実施例３の基準状態における収差図
【図９】本発明の実施例３において光軸が０．３°傾いた状態における防振状態での収差図
【図１０】本発明の実施例４のレンズ断面図
【図１１】本発明の実施例４の基準状態における収差図
【図１２】本発明の実施例４において光軸が０．３°傾いた状態における防振状態での収差図
【図１３】本発明の撮像装置の要部概略図
【発明を実施するための形態】
【００１６】
以下に、本発明のズームレンズ及びそれを有する撮像装置の実施の形態を添付の図面に基づいて説明する。本発明のズームレンズは、物体側より像側へ順に、負の屈折力の第１レンズ群、正の屈折力の第２レンズ群、負の屈折力の第３レンズ群、複数のレンズ群を有し、全体として正の屈折力の後群を有する。後群は物体側から像側へ順に、正の屈折力の第４レンズ群、負の屈折力の第５レンズ群、正の屈折力の第６レンズ群を有する。そしてズーミングに際して４つ以上のレンズ群が移動する。
【００１７】
第３レンズ群は、光軸に対して垂直方向の成分を持つ方向に移動して結像位置を光軸に対して垂直方向に移動させる防振機能を有する防振群を有する。無限遠物体から近距離物体へのフォーカシングに際しては少なくとも第５レンズ群は像側へ移動する。
【００１８】
本発明のズームレンズにおいて、第１レンズ群の物体側又は／及び最終レンズ群の像側にコンバーターレンズやアフォーカルレンズ群などの屈折力のあるレンズ群が位置していても良い。
【００１９】
図１（Ａ）、（Ｂ）、（Ｃ）はそれぞれ本発明の実施例１のズームレンズの広角端（短焦点距離端）、中間のズーム位置、望遠端（長焦点距離端）におけるレンズ断面図である。図２（Ａ）、（Ｂ）、（Ｃ）はそれぞれ本発明の実施例１のズームレンズの広角端、中間のズーム位置、望遠端における無限遠物体に合焦したときの収差図である。図３（Ａ）、（Ｂ）、（Ｃ）はそれぞれ本発明の実施例１のズームレンズの広角端、中間のズーム位置、望遠端において無限遠物体に合焦し、光軸が０．３度傾いたときに画像ぶれを補正（防振補正）したときの横収差図である。
【００２０】
図４（Ａ）、（Ｂ）、（Ｃ）はそれぞれ本発明の実施例２のズームレンズの広角端、中間のズーム位置、望遠端におけるレンズ断面図である。図５（Ａ）、（Ｂ）、（Ｃ）はそれぞれ本発明の実施例２のズームレンズの広角端、中間のズーム位置、望遠端における無限遠物体に合焦したときの収差図である。図６（Ａ）、（Ｂ）、（Ｃ）はそれぞれ本発明の実施例２のズームレンズの広角端、中間のズーム位置、望遠端において無限遠物体に合焦し、光軸が０．３度傾いたときに画像ぶれを補正したときの横収差図である。
【００２１】
図７（Ａ）、（Ｂ）、（Ｃ）はそれぞれ本発明の実施例３のズームレンズの広角端、中間のズーム位置、望遠端におけるレンズ断面図である。図８（Ａ）、（Ｂ）、（Ｃ）はそれぞれ本発明の実施例３のズームレンズの広角端、中間のズーム位置、望遠端における無限遠物体に合焦したときの収差図である。図９（Ａ）、（Ｂ）、（Ｃ）はそれぞれ本発明の実施例３のズームレンズの広角端、中間のズーム位置、望遠端において無限遠物体に合焦し、光軸が０．３度傾いたときに画像ぶれを補正したときの横収差図である。
【００２２】
図１０（Ａ）、（Ｂ）、（Ｃ）はそれぞれ本発明の実施例４のズームレンズの広角端、中間のズーム位置、望遠端におけるレンズ断面図である。図１１（Ａ）、（Ｂ）、（Ｃ）はそれぞれ本発明の実施例４のズームレンズの広角端、中間のズーム位置、望遠端における無限遠物体に合焦したときの収差図である。図１２（Ａ）、（Ｂ）、（Ｃ）はそれぞれ本発明の実施例４のズームレンズの広角端、中間のズーム位置、望遠端において無限遠物体に合焦し、光軸が０．３度傾いたときに画像ぶれを補正したときの横収差図である。図１３は本発明のズームレンズを備える一眼レフカメラ（撮像装置）の要部概略図である。
【００２３】
各実施例のズームレンズはビデオカメラやデジタルビデオカメラそして銀塩フィルムカメラ等の撮像装置に用いられる撮影レンズ系（光学系）である。レンズ断面図において、左方が物体側（前方）で、右方が像側（後方）である。レンズ断面図においてｉは物体側からのレンズ群の順番を示し、Ｌｉは第ｉレンズ群である。ＳＰは開口絞りである。ＳＳＰはＦナンバー絞り（Ｆｎｏ絞り）である。Ｆナンバー絞りＳＳＰはズーミングに際して開口径を変えて各ズーム位置におけるＦナンバーの値を調整している。
【００２４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。矢印は広角端から望遠端へのズーミングにおける各レンズ群の移動軌跡を示している。
【００２５】
球面収差図はｄ線について示している。非点収差図においてＭ、Ｓはｄ線でのメリディオナル像面、サジタル像面である。ＦｎｏはＦナンバー、ωは半画角である。横収差図においてＹは像高である。尚、以下の各実施例において広角端と望遠端は変倍用レンズ群が機構上、光軸上を移動可能な範囲の両端に位置したときのズーム位置をいう。
【００２６】
各実施例のズームレンズは、物体側より像側へ順に（連続して）、負の屈折力の第１レンズ群Ｌ１、正の屈折力の第２レンズ群Ｌ２、負の屈折力の第３レンズ群Ｌ３、複数のレンズ群を有し、全体として正の屈折力の後群ＬＲを有している。ズーミングに際して４つ以上のレンズ群が移動する。第３レンズ群Ｌ３は光軸に対して垂直方向の成分を持つ方向に移動して結像位置を光軸に対して垂直方向に移動する防振群を有している。
【００２７】
実施例１、２、４では第３レンズ群Ｌ３の全部で、実施例３では第３レンズ群Ｌ３の一部のレンズ群で防振を行っている。後群ＬＲはフォーカス群を有している。後群ＬＲは、物体側より像側へ順に正の屈折力の第４レンズ群Ｌ４、負の屈折力の第５レンズ群Ｌ５、正の屈折力の第６レンズ群Ｌ６で構成され、フォーカシングに際して第５レンズ群Ｌ５は移動する。
【００２８】
フォーカス群よりも物体側に、フォーカシングに際して光軸方向に移動する第２のフォーカス群（フローティングレンズ群Ｌｆｌｏ）を有する。防振群は、正の屈折力のレンズと負の屈折力のレンズを１枚ずつ含む。第３レンズ群Ｌ３は少なくとも１つの非球面を含む。
【００２９】
次に本発明のズームレンズに係る防振機能について説明する。一般に、防振状態における偏芯像面湾曲を低減するために必要な条件は、次式で表される。
【００３０】
α’p・Ｐq−αp（Ｐp＋Ｐq）＝０      ・・・（Ａ）式
（Ａ）式中のＰpは防振群のペッツバール和、Ｐqは防振群より像側の後群のペッツバール和、αpは防振群に入射する光線の角度、α’pは、防振群を出射する光線の角度を表す。（Ａ）式より、偏芯状態の像面湾曲を０にするためには、例えばこの（Ａ）式において、次の条件氏が必要となる。
【００３１】
・α’p＝０、すなわち防振群を出射する光線が光軸に対して平行（アフォーカル）であること
・防振群と防振群より像側のレンズ群の合成のペッツバール和が０であること
が必要になる。
【００３２】
基準状態の性能と防振機能の性能を維持しつつ、上記の（Ａ）式に近づけることが、防振性能の向上につながる。ペッツバール和は、レンズ（あるいはレンズ群）の屈折力と材料の屈折率の関係式で表される。即ち、防振群と、防振群より像側のレンズ群の屈折力の比が１に近ければ、上記の（Ａ）式を満足し、偏芯時の像面湾曲の改善につながる。
【００３３】
本発明者は広角域を含んだ大口径比のネガティブリード型の６群ズームレンズにおいて、負の屈折力の第３レンズ群と、第３レンズ群よりも像側に位置する後群の屈折力を適切に設定する。これにより、上記の偏芯像面湾曲を良好に補正することができる条件を見出した。これに基づいて本発明は、以下の構成をとることを特徴としている。第３レンズ群Ｌ３の防振群の焦点距離をｆｉｓ、望遠端における後群ＬＲの焦点距離をｆＲとする。このとき、
０．８＜｜ｆＲ／ｆｉｓ｜＜１．３      ・・・（１）
なる条件式を満足することである。
【００３４】
条件式（１）は、第３レンズ群Ｌ３の防振群と、望遠端における後群ＬＲの屈折力に関し、主に偏芯像面湾曲を良好に補正するためのものである。条件式（１）の上限値又は下限値を超えて防振群と後群ＬＲの屈折力の比が離れると、先に述べた偏芯像面湾曲の条件から外れる方向となり、防振時の良好な光学性能を得るのが困難になる。
【００３５】
さらに条件式（１）の上限を超えて防振群の屈折力が強くなるとズーミングに伴う球面収差の変動の補正が困難になると共に、防振状態での画面中心の光学性能が悪化してくる。また条件式（１）の下限を超えて防振群の屈折力が弱くなると、小型化が困難になる。さらに、光線の光軸からの高さが低い後群ＬＲ中にフォーカス群を設けることで、フォーカスによる球面収差の影響を受けにくく、フォーカス全域での光学性能の向上を図っている。
【００３６】
本発明において更に好ましくは次の条件式を満足するのが良い。後群ＬＲ中のフォーカス群の焦点距離をｆｒ、広角端における全系の焦点距離をｆｗとする。このとき、
１．８＜｜ｆｒ／ｆｗ｜＜３．０      ・・・（２）
なる条件式を満足するのが良い。
【００３７】
条件式（２）は、フォーカス群の屈折力に関する。条件式（２）の上限を超えて、フォーカス群の屈折力が弱くなると、フォーカシングに際してフォーカス群の移動量が大きくなり、全系が大型化してくる。条件式（２）の下限を超えて、フォーカス群の屈折力が強くなると、ズーミングに際して像面変動が大きくなり、この収差を良好に補正することが困難になる。条件式（１）、（２）は、さらに望ましくは以下の数値範囲にあることが望ましい。
【００３８】
１．００＜｜ｆＲ／ｆｉｓ｜＜１．２５      ・・・（１ａ）
２．０＜｜ｆｒ／ｆｗ｜＜２．５            ・・・（２ａ）
以下に、本発明の各実施例について説明する。
【００３９】
図１の実施例１では広角端から望遠端へのズーミングに際して、第１レンズ群Ｌ１は像側へ移動する。第２レンズ群Ｌ２は物体側へ移動する。第３レンズ群Ｌ３は絞りＳＰ、Ｆナンバー絞り（Ｆｎｏ絞り）ＳＰ２と一体（同じ移動軌跡）で物体側に凸状の軌跡で移動する。第４レンズ群Ｌ４は物体側へ移動する。第５レンズ群Ｌ５は物体側へ移動する。第６レンズ群Ｌ６は不動である。
【００４０】
広角端から望遠端へのズーミングに際して、第１レンズ群Ｌ１、第２レンズ群Ｌ２、第４レンズ群Ｌ４、第５レンズ群Ｌ５が変倍を行い、変倍によって移動する像面（像面変動）を、第３レンズ群Ｌ３の移動によって補正している。ズーミングに際して５つのレンズ群が移動することで、必要なズーム比を得るとともに、ズーミングによる諸収差の変動を抑えている。また、第５レンズ群Ｌ５はフォーカス群であり、像側に移動させることで、無限遠物体から至近距離物体までのフォーカスを行っている。
【００４１】
更に無限遠物体から至近距離物体へのフォーカシングに際し、第４レンズ群Ｌ４中の物体側から１番目と２番目の一部分のレンズ群（第２のフォーカス群）Ｌｆｌｏを第５レンズ群Ｌ５とは独立に（異なった移動軌跡で）移動する。即ちフローティングを利用している。これによりフォーカシングに際しての収差の変動を補正している。また、第３レンズ群Ｌ３全体を光軸に対して垂直方向の成分を持つ方向に移動させ、結像位置を移動させてズームレンズが振動したときの画像ぶれを補正している。即ち防振を行っている。
【００４２】
実施例１においてそれぞれの条件式（１），（２）は、さらに望ましくは以下の数値範囲にあることが望ましい。
【００４３】
１．０＜｜ｆＲ／ｆｉｓ｜≦１．２
２．０＜｜ｆｒ／ｆｗ｜＜２．３
また、実施例１は、第１レンズ群Ｌ１に２つの非球面を設けている。これにより広角端において画面周辺のサジタル像面湾曲を補正したときに補正不足となるメリディオナル像面と、歪曲を良好に補正している。
【００４４】
また、実施例１は、第５レンズ群Ｌ５と第６レンズ群Ｌ６にそれぞれ１つの非球面を設けている。これによって広角端において像面湾曲、望遠端において歪曲を各々良好に補正している。
【００４５】
図４の実施例２では広角端から望遠端へのズーミングに際して、第１レンズ群Ｌ１は像側へ移動する。第２レンズ群Ｌ２は物体側へ移動する。第３レンズ群Ｌ３は不動である。第４レンズ群Ｌ４は物体側へ移動する。第５レンズ群Ｌ５は物体側へ移動する。第６レンズ群Ｌ６は不動である。
【００４６】
広角端から望遠端へのズーミングに際して、第２レンズ群Ｌ２、第４レンズ群Ｌ４、第５レンズ群Ｌ５が移動して変倍を行い、変倍によって移動する像面を、第１レンズ群Ｌ１の移動によって補正している。ズーミングに際して４つのレンズ群が移動することで、必要なズーム比を得るとともに、ズーミングによる諸収差の変動を抑えている。
【００４７】
また、第５レンズ群Ｌ５を像側に移動させることで、無限遠物体から至近距離物体までのフォーカスを行っている。さらに、無限遠物体から至近距離物体へのフォーカシングに際して第３レンズ群Ｌ３の物体側から２番目と３番目のレンズと絞りＳＰを含むレンズ群Ｌｆｌｏを第５レンズ群Ｌ５とは独立に移動するフローティングを利用している。これによりフォーカシングに際しての収差の変動を補正している。また、第３レンズ群Ｌ３全体で防振を行っている。
【００４８】
実施例２において、更に高い性能を得るために必要な条件式（１），（２）とその意味は、数値実施例１の場合と同様であるが、さらに望ましくは、それぞれ次の数値範囲にあることが望ましい。
【００４９】
１．０＜｜ｆＲ／ｆｉｓ｜＜１．２
２．２＜｜ｆｒ／ｆｗ｜＜２．５
また、実施例２は、第１レンズ群Ｌ１に２つの非球面を設けている。これにより広角端において画面周辺のサジタル像面湾曲を補正したときに補正不足となるメリディオナル像面と、歪曲を良好に補正している。また、実施例２は、第３レンズ群Ｌ３に１つの非球面を設けて、望遠端において球面収差を良好に補正している。また、実施例２は、第５レンズ群Ｌ５、第６レンズ群Ｌ６にそれぞれ１つの非球面を設けている。これによって、広角端において像面湾曲、望遠端において歪曲を各々補正している。
【００５０】
図７の実施例３は図４の実施例２とズームタイプが同じである。実施例３では第５レンズ群Ｌ５を像側に移動させることで、無限遠物体から至近距離物体までのフォーカスを行っている。さらに、無限遠物体から至近距離物体へのフォーカシングに際して第３レンズ群Ｌ３の物体側から２番目と３番目のレンズと絞りＳＰと４番目のレンズを含むレンズ群Ｌｆｌｏを第５レンズ群Ｌ５とは独立に移動するフローティングを利用している。これによりフォーカシングに際しての収差の変動を補正している。
【００５１】
また、第３レンズ群Ｌ３は物体側から像側へ順に、第３ａレンズ群Ｌ３ａ、第３ｂレンズ群Ｌ３ｂに分けられている。そして第３ａレンズ群Ｌ３ａで防振を行っている。実施例３において、更に高い性能を得るために必要な条件式（１）、（２）とその意味は、数値実施例１の場合と同様であるが、さらに望ましくは、それぞれ以下の数値範囲にあることが望ましい。
【００５２】
１．０＜｜ｆＲ／ｆｉｓ｜＜１．２
２．２＜｜ｆｒ／ｆｗ｜＜２．５
また、実施例３は、第１レンズ群Ｌ１に２つの非球面を設けている。これにより広角端において画面周辺のサジタル像面湾曲を補正したときに補正不足となるメリディオナル像面と、歪曲を良好に補正している。また、実施例３は、第３レンズ群Ｌ３に１つの非球面を設けている。これにより、望遠端において球面収差を補正している。また、実施例３は、第５レンズ群Ｌ５、第６レンズ群Ｌ６にそれぞれ１つの非球面を設けている。これによって、広角端において像面湾曲、望遠端において歪曲を各々補正している。
【００５３】
図１０の実施例４は図１の実施例１とズームタイプが同じである。実施例４では第５レンズ群Ｌ５を像側に移動させることで、無限遠物体から至近距離物体までのフォーカスを行っている。また、第３レンズ群Ｌ３全体で防振を行っている。
【００５４】
実施例４において、更に高い性能を得るために必要な条件式（１）、（２）とその意味は、実施例１の場合と同様であるが、さらに望ましくは、それぞれ以下の数値範囲にあることが望ましい。
【００５５】
１．０＜｜ｆＲ／ｆｉｓ｜＜１．３
２．０＜｜ｆｒ／ｆｗ｜＜２．２
また、実施例４は、第１レンズ群Ｌ１に２つの非球面を設けている。これにより広角端において画面周辺のサジタル像面湾曲を補正したときに補正不足となるメリディオナル像面と、歪曲を良好に補正している。また、実施例４は、第５レンズ群Ｌ５、第６レンズ群Ｌ６にそれぞれ１つの非球面を設けている。これによって、広角端において像面湾曲、望遠端において歪曲を各々補正している。
【００５６】
次に実施例１〜４に示したズームレンズを撮像装置に適用した実施例を図１３を用いて説明する。図１３は一眼レフカメラの要部概略図である。図１３において、１０は実施例１〜４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に焦点板４に形成された逆像を正立像に変換するペンタダハプリズム５、その正立像を観察するための接眼レンズ６などによって構成されている。
【００５７】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。
【００５８】
本発明のズームレンズはクイックリターンミラーのない所謂ミラーレスのカメラにも同様に適用することができる。
【００５９】
以下に実施例１〜４に対応する数値実施例１〜４を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、ｋを円錐定数、各非球面係数をＡ４、Ａ６、Ａ８、Ａ１０、Ａ１２としたとき、
【００６０】
【数１】
2014052413.tif 000003
【００６１】
で与えるものとする。各非球面係数における「Ｅ±ｘｘ」は「×１０±ｘｘ」を意味している。また前述の各条件式と数値実施例の関係を表１に示す。
【００６２】
数値実施例１
単位 mm                                          
面データ                                          
面番号       r       d       nd          νd   有効径
1*      196.2      2.5    1.81600       46.6   64.2
2        37.108   15.77                        52.79
3       -87.808    3      1.67790       55.3   52.28
4       193.218    0.1                         51.36
5       150.601    5      1.84666       23.9   51.36
6*     -535.09    (可変)                       51.02
7       364.3      4      1.59282       68.6   39.01
8      -202.896    0.5                         39.17
9        92.548    1.5    1.84666       23.8   39.14
10        47.931    7      1.59282       68.6   38.44
11      -156.671    0.15                        38.26
12        54.198    4.44   1.88300       40.8   37.85
13       332.084    (可変)                      37.39
14(Fno絞り)∞       2.2                         26.95
15      -182.294    1.3    1.85026       32.3   26.16
16        66.941    2.81                        25.64
17       -53.616    1.3    1.70154       41.2   25.64
18        34.437    5      1.80518       25.4   26.8
19       -71.646    0.7                         26.94
20(絞り)   ∞       (可変)                      26.85
21      -1885.026   1.8    1.76182       26.5   26.74
22         27.152   5      1.49700       81.5   26.63
23       -111.905   0.5                         26.76
24         78.076   3.65   1.75500       52.3   27.13
25      -3545.744   0.1                         26.97
26         53.21    4.29   1.54072       47.2   26.74
27       -100.41    (可変)                      26.3
28       -824.848   4      1.80809       22.8   24.98
29        -31.396   1.5    1.68893       31.1   25.08
30*        32.335   (可変)                      25.15
31         54.443   5      1.49700       81.5   35.94
32       -243.747   1.8    1.56732       42.8   36.14
33*     -1009.292  38.31                        36.46
像面        ∞                          
【００６３】
非球面データ                       
第1面                              
K=0    A 4=   1.6576E-06    A 6=   -1.7906E-10   A 8=   -7.5648E-13
A10=   8.3288E-16    A12=   -2.8004E-19          
第6面                              
K=0    A 4=   2.6536E-07    A 6=   -2.1869E-10   A 8=   -1.0520E-12
A10=   2.0002E-15    A12=   -1.1706E-18          
第30面                             
K=0    A 4=   2.6901E-06    A 6=   6.0073E-10    A 8=   -4.3855E-11
A10=   4.0316E-13    A12=   -1.2298E-15          
第33面                             
K=0    A 4=   -1.0168E-06   A 6=   -4.9484E-10   A 8=   -6.4460E-12
A10=   1.9436E-14    A12=   -1.6566E-17          
各種データ                  
ズーム比     2.75               
焦点距離      24.7   35.21  68
Fナンバー      2.9    2.9    2.9
画角          41.21  31.57  17.65
像高          21.64  21.64  21.64
レンズ全長   223.94 207.87 180.56
BF            38.31  38.31  38.31
d6            70.28  43.64   3.92
d13            2.06   6.64  23.43
d20           22.1   16.61   2.38
d27            1.61   1.26   8.62
d30            4.67  16.5   19
入射瞳位置    36.32  35.46  45.15
射出瞳位置   -64.58 -81.07 -61.31
前側主点位置  55.1   60.29  66.73
後側主点位置  13.6    3.1  -29.69
【００６４】
数値実施例２
単位 mm                                   
面データ                                  
面番号    r           d       nd          νd    有効径
1*      362.69       2.5    1.83481       42.7   65.36
2        39.575     14.9                         54.11
3      -110.274      3      1.81600       46.6   53.6
4       360.181      0.1                         53.12
5       147.49       5      1.80809       22.8   53.12
6*     -431.199      (可変)                      52.82
7       190.423      4      1.59282       68.6   40.73
8      -185.424      0.5                         40.76
9       111.553      1.5    1.84666       23.8   40.42
10       57.057      6.75   1.59282       68.6   39.7
11     -152.806      0.15                        39.43
12       52.595      4.16   1.88300       40.8   37.52
13      161.033      (可変)                      36.55
14(Fno絞り)∞        2.2                         26.56
15*    2587.899      1.3    1.85026       32.3   25.63
16       50.533      4.75                        24.99
17      -37.055      1.3    1.65160       58.5   25
18       39.377      4.2    1.80518       25.4   26.66
19      -76.303      0.7                         26.8
20(絞り) ∞          (可変)                      26.92
21       73.606      5.83   1.72047       34.7   27.16
22      -42.075      1.8    1.84666       23.9   26.89
23       28.245      7.25   1.49700       81.5   26.43
24      -49.491      0.1                         26.8
25       40.357      4.29   1.72342       38     26.78
26     -265.361      (可変)               26.79
27      252.791      3.59   1.80809       22.8   26.38
28      -31.346      1.2    1.68893       31.1   26.35
29*      28.767      (可変)                      25.25
30       62.841      4.44   1.51742       52.4   34.33
31     -756.344      1.8    1.81600       46.6   34.55
32*     284.297      38.45                       34.81
像面     ∞                          
【００６５】
非球面データ                       
第1面                                     
K=0    A 4=   1.8101E-06    A 6=   -5.2601E-10   A 8=   -3.9127E-13
A10=   6.0823E-16    A12=   -2.2293E-19          
第6面                                     
K=0    A 4=   3.4793E-07    A 6=   4.3814E-11    A 8=   -1.6229E-12
A10=   2.4321E-15    A12=   -1.2420E-18          
第15面                             
K=0    A 4=   -2.3540E-08   A 6=   -3.6445E-10   A 8=   -1.3268E-12
A10=   5.1001E-15    A12=   2.3657E-17           
第29面                             
K=0    A 4=   3.9673E-06    A 6=   7.8750E-09    A 8=   -6.0753E-11
A10=   2.9342E-13    A12=   -5.0706E-16          
第32面                             
K=0    A 4=   -1.2476E-06   A 6=   -4.4446E-09   A 8=   1.4244E-11
A10=   -4.5223E-14   A12=   6.5128E-17           
各種データ                  
ズーム比    2.74               
焦点距離     24.8    35.46  67.88
Fナンバー     2.9     2.9    2.9
画角         41.1    31.39  17.68
像高         21.64   21.64  21.64
レンズ全長  222.12  200.09 179.64
BF           38.45   38.45  38.45
d6           67.47   39.56   3.52
d13           2.06    7.94  23.53
d20          19.38   14.18   2.29
d26           1.9     1.43   6.12
d29           5.55   11.23  18.43
入射瞳位置   36.29   35.93  46.27
射出瞳位置  -58.64  -55.44 -48.57
前側主点位置 54.76   58     61.2
後側主点位置 13.65    2.99 -29.43
【００６６】
数値実施例３
単位 mm                                   
面データ                                         
面番号        r        d       nd          νd    有効径
1*      345.302       2.5    1.83481       42.7   65.28
2        38.993      15.28                        53.89
3      -110.712       3      1.81600       46.6   53.2
4       387.696       0.1                         52.73
5       148.923       5      1.80809       22.8   52.71
6*     -465.464       (可変)                      52.39
7       187.748       4      1.59282       68.6   40.4
8      -192.748       0.5                         40.43
9       112.882       1.5    1.84666       23.8   40.12
10       57.321       6.68   1.59282       68.6   39.43
11     -150.442       0.15                        39.18
12       51.852       4.15   1.88300       40.8   37.31
13      159.241       (可変)                      36.35
14(Fno絞り)∞         2.2                         26.99
15*     565.596       1.3    1.85026       32.3   25.99
16       50.457       4.87                        25.31
17      -36.601       1.3    1.65160       58.5   25.29
18       42.032       4.54   1.80518       25.4   26.85
19      -72.011       0.7                         27.05
20(絞り）∞           0.51                        27.11
21      -500          1.5    1.65160       58.5   27.13
22    -9130.85        (可変)                      27.19
23       76.049       5.83   1.72047       34.7   27.3
24      -42.872       1.8    1.84666       23.9   27.02
25       28.656       6.77   1.49700       81.5   26.58
26      -48.331       0.1                         26.86
27       40.318       4.29   1.72342       38     26.76
28     -290.909       (可変)                      26.25
29      262.709       3.43   1.80809       22.8   25.92
30      -31.689       1.2    1.68893       31.1   25.89
31*      29.05        (可変)                      24.93
32       64.115       4.44   1.51742       52.4   33.79
33     -191.243       1.8    1.81600       46.6   33.98
34*     469.952       38.45                       34.35
像面     ∞                          
【００６７】
非球面データ                       
第1面                              
K=0    A 4=   1.82695E-06   A 6=   -5.59826E-10  A 8=   -3.60185E-13
A10=   6.06446E-16   A12=   -2.21010E-19         
第6面                              
K=0    A 4=   3.61845E-07   A 6=   5.85680E-11   A 8=   -1.72273E-12
A10=   2.44714E-15   A12=   -1.11301E-18         
第15面                             
K=0    A 4=   1.97376E-07   A 6=   -3.80131E-10  A 8=   -5.00794E-12
A10=   2.14044E-14   A12=   2.17990E-17          
第31面                             
K=0    A 4=   4.11460E-06   A 6=   8.17932E-09   A 8=   -5.99184E-11
A10=   2.92751E-13   A12=   -5.60420E-16         
第34面                             
K=0    A 4=   -1.44710E-06  A 6=   -4.68443E-09  A 8=   1.41827E-11
A10=   -4.22006E-14  A12=   5.95456E-17          
各種データ                  
ズーム比      2.73               
焦点距離       24.86  35.19  67.87
Fナンバー       2.9    2.9    2.9
画角           41.03  31.58  17.68
像高           21.64  21.64  21.64
レンズ全長    222.18 200.75 179.07
BF             38.45  38.45  38.45
d6             67.59  40.52   3.5
d13             2.06   7.7   23.05
d22            17.39  12.19   0.3
d28             1.9    1.33   6.46
d31             5.34  11.11  17.87
入射瞳位置     36.19  35.86  45.8
射出瞳位置    -55.56 -52.88 -46.46
前側主点位置   54.47  57.49  59.42
後側主点位置   13.59   3.26  29.43
【００６８】
数値実施例４
単位 mm                                          
面データ                                         
面番号    r            d       nd          νd    有効径
1*      683.387       2.5    1.69680       55.5   67.2
2        35.736       16.16                       53.26
3       -95.283       3      1.69700       48.5   52.94
4       227.091       0.1                         52.06
5       180.628       5      1.84666       23.9   52.05
6*     -693.867       (可変)                      51.69
7       207.908       4      1.59282       68.6   41.14
8      -189.06        0.5                         41.27
9        97.281       1.5    1.84666       23.8   41.2
10       44.305       7      1.59282       68.6   40.34
11     -137.056       0.15                        40.29
12       54.672       4.44   1.88300       40.8   38.67
13      325.488       (可変)                      37.92
14(Fno絞り)∞         2.2                         26.15
15     -155.659       1.3    1.83400       37.2   25.4
16       68.417       3                           24.92
17      -47.869       1.3    1.72000       43.7   24.93
18       31.611       5      1.80518       25.4   26.27
19      -73.205       0.7                         26.43
20(絞り）∞           (可変)                      26.47
21     1261.153       1.8    1.85026       32.3   26.52
22       29.049       5      1.49700       81.5   26.52
23      -82.058       0.5                         26.7
24       74.332       3.65   1.75500       52.3   27.32
25    -8952.075       0.1                         27.23
26       53.149       4.29   1.49700       81.5   27.09
27      -65.982       (可変)                      26.84
28    28854.334       4      1.80809       22.8   25.23
29      -31.585       1.5    1.72151       29.2   25.25
30*      31.008      39.96                        25.04
31       49.492       6      1.49700       81.5   38.35
32     -203.948       1.8    1.65160       58.5   38.51
33*    -311.601      39.96                        38.77
像面      ∞                          
【００６９】
非球面データ                       
第1面                              
K=0    A 4=   2.52853E-06   A 6=   -9.26695E-10  A 8=   -5.49944E-13
A10=   7.82065E-16   A12=   -2.59519E-19         
第6面                              
K=0    A 4=   1.61298E-07   A 6=   -3.26146E-10  A 8=   -1.47280E-12
A10=   1.97891E-15   A12=   -8.92676E-19         
第30面                             
K=0    A 4=   1.85730E-06   A 6=   -5.97366E-09  A 8=   2.39496E-11
A10=   1.04595E-13   A12=   -7.58148E-16         
第33面                             
K=0    A 4=   -2.92686E-07  A 6=   -7.05282E-10  A 8=   -4.37424E-12
A10=   1.68920E-14   A12=   -1.68449E-17         
各種データ                  
ズーム比      2.95               
焦点距離       22.98  33.55  67.9
Fナンバー       2.9    2.9    2.9
画角           43.27  32.82  17.67
像高           21.64  21.64  21.64
レンズ全長    221.92 206.85 183.76
BF             39.96  39.96  39.96
d6             68.17  40.46   2.54
d13             2.06   6.58  25.16
d20            19.61  15.35   2.16
d27             1.61   2.1    9.16
d30             4.01  15.91  18.29
入射瞳位置     35.02  34.23  46.42
射出瞳位置    -63.94 -88.98 -66.62
前側主点位置   52.92  59.05  71.07
後側主点位置   16.98   6.41 -27.94
【００７０】
【表１】
2014052413.tif 000004
【符号の説明】
【００７１】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＳＰ  絞り
【図１】
2014052413.tif 000005
【図２】
2014052413.tif 000006
【図３】
2014052413.tif 000007
【図４】
2014052413.tif 000008
【図５】
2014052413.tif 000009
【図６】
2014052413.tif 000010
【図７】
2014052413.tif 000011
【図８】
2014052413.tif 000012
【図９】
2014052413.tif 000013
【図１０】
2014052413.tif 000014
【図１１】
2014052413.tif 000015
【図１２】
2014052413.tif 000016
【図１３】
2014052413.tif 000017